【手続補正書】
【提出日】平成26年12月26日(2014.12.26)
【手続補正１】
【補正対象書類名】特許請求の範囲
【補正対象項目名】全文
【補正方法】変更
【補正の内容】
【特許請求の範囲】
【請求項１】
マイクロチップ又はフローセルに形成された流路にサイズ及び蛍光強度が異なる２種以上のキャリブレーション粒子を含む流体を通流する送液手順と、
レーザ照射により前記マイクロチップ又は前記フローセルから発生する光を前記マイクロチップ又は前記フローセル上の複数の位置から検出する第一の信号取得手順と、
全種の前記キャリブレーション粒子から発生する光の検出強度がより大きくなる位置を特定する手順と、を含む微小粒子分取装置におけるキャリブレーション方法。
【請求項２】
前記検出強度として、全種の前記キャリブレーション粒子から発生する光の検出強度の積算値のエリア平均値を用いる請求項１記載のキャリブレーション方法。
【請求項３】
前記エリア平均値がより大きくなるエリア内において、前記キャリブレーション粒子のうちサイズが小さい種の粒子から発生する光の検出強度がより大きくなる第一の最適位置を特定する手順を含む請求項２記載のキャリブレーション方法。
【請求項４】
前記第一の最適位置は、前記キャリブレーション粒子のうちサイズが小さい種の粒子から発生する光の検出強度の積算値又は平均値がより大きくなる位置である請求項３記載のキャリブレーション方法。
【請求項５】
前記エリア平均値がより大きくなるエリア内において、前記キャリブレーション粒子のうちサイズが小さい種の粒子から発生する光の検出強度の積算値又は平均値の変動係数がより小さくなる第二の最適位置を特定する手順を含む請求項２〜４のいずれか記載のキャリブレーション方法。
【請求項６】
前記レーザに対する前記マイクロチップ又は前記フローセルの相対位置を、前記第一の最適位置又は前記第二の最適位置に設定する手順を含む請求項５記載のキャリブレーション方法。
【請求項７】
前記第一の最適位置と前記第二の最適位置が異なる場合に、前記相対位置を前記第二の最適位置に設定する請求項６記載のキャリブレーション方法。
【請求項８】
前記流路の一端に形成されたオリフィスから吐出される液滴に対して、前記流路を通流する前記キャリブレーション粒子から発生する光の検出時刻から所定時間経過後にレーザを照射し、前記液滴から発生する光を検出する第二の信号取得手順と、
全種の前記キャリブレーション粒子から発生する光の検出強度の積算値、あるいは前記キャリブレーション粒子のうちサイズが大きい種の粒子から発生する光の検出強度の積算値、がより大きくなる経過時間を特定する手順と、を含む請求項１〜７のいずれか記載のキャリブレーション方法。
【請求項９】
前記経過時間をディレイタイムとして設定する手順を含む請求項８記載のキャリブレーション方法。
【請求項１０】
前記キャリブレーション粒子として、サイズが小さく蛍光強度が低い粒子と、サイズが大きく蛍光強度が高い粒子と、の２種を用いる請求項１〜９のいずれか記載のキャリブレーション方法。
【請求項１１】
前記キャリブレーション粒子中のサイズが大きく蛍光強度が高い粒子のポピュレーションが、サイズが小さく蛍光強度が低い粒子のポピュレーションよりも大きい請求項１０記載のキャリブレーション方法。
【請求項１２】
サイズ及び蛍光強度が異なる２種以上のキャリブレーション粒子を含む流体が流路に通流されたマイクロチップ又はフローセルにレーザを照射して発生する光を検出する照射検出部と、
該照射検出部に対する前記マイクロチップ又は前記フローセルの相対位置を変更する位置調整部と、
全種の前記キャリブレーション粒子から発生する光の検出強度がより大きくなる位置への移動信号を前記位置調整部に出力する制御部と、を備える微小粒子分取装置。
【請求項１３】
前記検出強度が、全種の前記キャリブレーション粒子から発生する光の検出強度の積算値のエリア平均値である請求項１２記載の微小粒子分取装置。
【請求項１４】
前記制御部は、前記エリア平均値がより大きくなるエリア内において、前記キャリブレーション粒子のうちサイズが小さい種の粒子から発生する光の検出強度がより大きくなる第一の最適位置への移動信号を前記位置調整部に出力する請求項１３記載の微小粒子分取装置。
【請求項１５】
前記制御部は、前記エリア平均値がより大きくなるエリア内において、前記キャリブレーション粒子のうちサイズが小さい種の粒子から発生する光の検出強度の積算値又は平均値の変動係数がより小さくなる第二の最適位置への移動信号を前記位置調整部に出力する請求項１３又は１４記載の微小粒子分取装置。
【請求項１６】
前記制御部は、前記第一の最適位置と前記第二の最適位置が異なる場合に、前記第二の最適位置への移動信号を前記位置調整部に出力する請求項１５記載の微小粒子分取装置。
【請求項１７】
前記流路の一端に形成されたオリフィスから吐出される液滴に対して、前記照射検出部による前記キャリブレーション粒子から発生する光の検出時刻から所定時間経過後にレーザを照射する光源と、
前記液滴から発生する光を検出する検出部と、を備え、
前記制御部は、全種の前記キャリブレーション粒子から発生する光の検出強度の積算値、あるいは前記キャリブレーション粒子のうちサイズが大きい種の粒子から発生する光の検出強度の積算値、がより大きくなる経過時間をディレイタイムとして設定する請求項１２〜１６のいずれか記載の微小粒子分取装置。
【請求項１８】
サイズが小さく蛍光強度が低い粒子と、サイズが大きく蛍光強度が高い粒子と、の２種を含む微小粒子分取装置用のキャリブレーション粒子。
【請求項１９】
前記サイズが大きく蛍光強度が高い粒子のポピュレーションが、前記サイズが小さく蛍光強度が低い粒子のポピュレーションよりも大きい請求項１８記載のキャリブレーション粒子。
【請求項２０】
前記サイズが小さく蛍光強度が低い粒子の粒径が２〜４μｍであり、前記サイズが大きく蛍光強度が高い粒子の粒径が８〜１２μｍである請求項１８又は１９記載のキャリブレーション粒子。
【手続補正２】
【補正対象書類名】明細書
【補正対象項目名】００８９
【補正方法】変更
【補正の内容】
【００８９】
また、本技術に係る微小粒子分取装置は以下のような構成をとることもできる。
（１）サイズ及び蛍光強度が異なる２種以上のキャリブレーション粒子を含む流体が流路に通流されたマイクロチップ又はフローセルにレーザを照射して発生する光を検出する照射検出部と、該照射検出部に対する前記マイクロチップ又は前記フローセルの相対位置を変更する位置調整部と、全種の前記キャリブレーション粒子から発生する光の検出強度がより大きくなる位置への移動信号を前記位置調整部に出力する制御部と、を備える微小粒子分取装置。
（２）前記検出強度が、全種の前記キャリブレーション粒子から発生する光の検出強度の積算値のエリア平均値である上記（１）記載の微小粒子分取装置。
（３）前記制御部は、前記エリア平均値がより大きくなるエリア内において、前記キャリブレーション粒子のうちサイズが小さい種の粒子から発生する光の検出強度がより大きくなる第一の最適位置への移動信号を前記位置調整部に出力する上記（２）記載の微小粒子分取装置。
（４）前記制御部は、前記エリア平均値がより大きくなるエリア内において、前記キャリブレーション粒子のうちサイズが小さい種の粒子から発生する光の検出強度の積算値又は平均値の変動係数がより小さくなる第二の最適位置への移動信号を前記位置調整部に出力する上記（２）又は（３）記載の微小粒子分取装置。
（５）前記制御部は、前記第一の最適位置と前記第二の最適位置が異なる場合に、前記第二の最適位置への移動信号を前記位置調整部に出力する上記（４）記載の微小粒子分取装置。
（６）前記流路の一端に形成されたオリフィスから吐出される液滴に対して、前記照射検出部による前記キャリブレーション粒子から発生する光の検出時刻から所定時間経過後にレーザを照射する光源と、前記液滴から発生する光を検出する検出部と、を備え、前記制御部は、全種の前記キャリブレーション粒子から発生する光の検出強度の積算値、あるいは前記キャリブレーション粒子のうちサイズが大きい種の粒子から発生する光の検出強度の積算値、がより大きくなる経過時間をディレイタイムとして設定する上記（１）〜（５）のいずれかに記載の微小粒子分取装置。